(57)【要約】【課題】照明光を必要な範囲内に効率よく集光でき、かつ、生産性のよい光制御シート、面光源装置を提供する。【解決手段】出射側に設けた単位レンズ１４１の谷部と重なる入射側に突出部１４２を設ける。この突出部１４２は、シート面に垂直な方向から見たときに占める面積比率で１０％以上６０％以下を占めるようにする。また、突出部１４２の斜面部１４２ａがシート面の法線とのなす角度は、１０°以上３０°以下の範囲内とする。さらに、１．５Ｗ／Ｄ≦ｔａｎ（ｓｉｎ-1（１／ｎ））≦３Ｗ／Ｄ、０．５×Ｗ≦Ｈ≦１．５×Ｗの関係式を満足するようにする。【選択図】図３
2007173031.tif 000002
【特許請求の範囲】
【請求項１】
直下型の面光源装置に設けられ、光源から出射した光を均一化、及び／又は、収束させる光制御シートであって、
出射側に突出して多数並べて配列された少なくとも１種類の出射側レンズ部と、
シート面に垂直な方向から見たときに占める面積比率で１０％以上６０％以下を占め、入射側へ突出した突出部と、
を備える光制御シート。
【請求項２】
請求項１に記載の光制御シートにおいて、
前記突出部は、前記出射側レンズ部に近い部分の幅よりもその先端部分に近い部分の幅が狭いこと、
を特徴とする光制御シート。
【請求項３】
請求項１に記載の光制御シートにおいて、
前記先端部分と前記突出部が形成されていない非突出部との間の斜面部に接する接面とシート面の法線とのなす角度は、１０°以上３０°以下の範囲内であること、
を特徴とする光制御シート。
【請求項４】
請求項１から請求項３までのいずれか１項に記載の光制御シートにおいて、
前記突出部の幅が最も広い部分の寸法をＷ、前記出射側レンズ部の出射側への突出量の最も少ない谷部分と前記突出部が形成されていない非突出部との間隔をＤ、前記間隔Ｄとなる部分を形成する材料の屈折率の平均値をｎとしたときに、
０．４Ｗ／Ｄ≦ｔａｎ（ｓｉｎ-1（１／ｎ））≦０．８Ｗ／Ｄ
の関係式を満足すること、
を特徴とする光制御シート。
【請求項５】
請求項１から請求項４までのいずれか１項に記載の光制御シートにおいて、
前記出射側レンズ部は、長軸がシート面に対して直交する楕円筒の一部、又は、長軸がシート面に対して直交する回転楕円体の一部により形成されていること、
を特徴とする光制御シート。
【請求項６】
請求項１から請求項５までのいずれか１項に記載の光制御シートにおいて、
前記出射側レンズ部の長半径は、短半径の１．０倍以上３．０倍以下であること、
を特徴とする光制御シート。
【請求項７】
請求項１から請求項６までのいずれか１項に記載の光制御シートにおいて、
前記突出部の突出量をＨとしたとき、
０．５×Ｗ≦Ｈ≦１．５×Ｗ
の関係式を満足すること、
を特徴とする光制御シート。
【請求項８】
請求項１から請求項７までのいずれか１項に記載の光制御シートにおいて、
前記突出部の先端部分には、入射側に凸の曲面が形成されていること、
を特徴とする光制御シート。
【請求項９】
請求項１から請求項８までのいずれか１項に記載の光制御シートにおいて、
前記突出部が形成されていない非突出部には、入射側に凸の曲面が形成されていること、
を特徴とする光制御シート。
【請求項１０】
請求項１から請求項９までのいずれか１項に記載の光制御シートにおいて、
ベース層を有し、
少なくとも前記出射側レンズ部及び前記突出部は、紫外線硬化樹脂及び電離放射線硬化樹脂を含む光硬化樹脂により前記ベース層上に形成されていること、
を特徴とする光制御シート。
【請求項１１】
請求項１０に記載の光制御シートにおいて、
前記ベース層の厚さは、前記出射側レンズ部の突出量以下であること、
を特徴とする光制御シート。
【請求項１２】
透過型表示部を背面から照明する面光源装置であって、
複数の光源が並べて配置された光源部と、
請求項１から請求項１１までのいずれか１項に記載の光制御シートと、
を備える面光源装置。
【請求項１３】
請求項１２に記載の面光源装置において、
前記光制御シートは、使用状態における前記透過型表示部の画面の上下方向の光を主に制御すること、
を特徴とする面光源装置。
【請求項１４】
請求項１２又は請求項１３に記載の面光源装置において、
光拡散作用を有した拡散シートを少なくとも１枚有していること、
を特徴とする面光源装置。
【請求項１５】
請求項１２から請求項１４までのいずれか１項に記載の面光源装置において、
前記光制御シートが光を主に制御する方向と直交する方向で光を主に制御する第２の光制御シートを有すること、
を特徴とする面光源装置。
【請求項１６】
請求項１２から請求項１５までのいずれか１項に記載の面光源装置において、
面光源装置に含まれるシートの中の少なくとも１つには、光拡散効果を付与する粒子が添加されていること、
を特徴とする面光源装置。
【発明の詳細な説明】
【技術分野】
【０００１】
本発明は、液晶表示装置等の照明に用いられる光制御シート、面光源装置に関するものである。
【背景技術】
【０００２】
このような光制御シートとしては、直角プリズムを複数並べたシートが知られている。
しかし、直角プリズムを並べたシートでは、不必要に大きな出射角度方向に出射してしまう光が多いという問題があった。
なお、以下の説明において、入射角度、出射角度とは、シート面（光制御シート全体としてみたときのシート面）に対する角度であって、シート面における法線と光の進む方向とが成す角度を示すものとする。
この不必要に大きな出射角度方向に出射してしまう光を防止するために、出射側にレンズを設け、入射側には、出射側のレンズに対応した遮光部を配置した例が、特許文献１〜４に記載されている。
【０００３】
しかし、特許文献１〜４に記載のレンズシートであっても、レンズ及び遮光部を適切な形態で形成しなければ、不必要に大きな出射角度方向に出射してしまう光が多量に発生してしまい、光の利用効率が悪くなるという問題があった。
また、入射側に設けられる遮光部は、出射側のレンズ位置に対応して正確に位置合わせする必要があり、その形成が困難であるという問題があった。
さらに、遮光部を設けること自体、レンズシートの製造工程が多くなり、高価格化の要因となっていた。
【特許文献１】特開平８−９５０３８号公報
【特許文献２】特開平１０−２４１４３４号公報
【特許文献３】特開２０００−２８４２６８号公報
【特許文献４】特開２００５−２２１６１９号公報
【発明の開示】
【発明が解決しようとする課題】
【０００４】
本発明の課題は、照明光を必要な範囲内に効率よく集光でき、かつ、生産性のよい光制御シート、面光源装置を提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、直下型の面光源装置に設けられ、光源（１３）から出射した光を均一化、及び／又は、収束させる光制御シートであって、出射側に突出して多数並べて配列された少なくとも１種類の出射側レンズ部（１４１）と、シート面に垂直な方向から見たときに占める面積比率で１０％以上６０％以下を占め、入射側へ突出した突出部（１４２）と、を備える光制御シート（１４）である。
請求項２の発明は、請求項１に記載の光制御シートにおいて、前記突出部（１４２）は、前記出射側レンズ部（１４１）に近い部分の幅よりもその先端部分に近い部分の幅が狭いこと、を特徴とする光制御シート（１４）である。
請求項３の発明は、請求項１に記載の光制御シートにおいて、前記先端部分と前記突出部（１４２）が形成されていない非突出部（１４３）との間の斜面部（１４２ａ）に接する接面とシート面の法線とのなす角度は、１０°以上３０°以下の範囲内であること、を特徴とする光制御シート（１４）である。
請求項４の発明は、請求項１から請求項３までのいずれか１項に記載の光制御シートにおいて、前記突出部（１４２）の幅が最も広い部分の寸法をＷ、前記出射側レンズ部（１４１）の出射側への突出量の最も少ない谷部分と前記突出部が形成されていない非突出部との間隔をＤ、前記間隔Ｄとなる部分を形成する材料の屈折率の平均値をｎとしたときに、０．４Ｗ／Ｄ≦ｔａｎ（ｓｉｎ−１（１／ｎ））≦０．８Ｗ／Ｄの関係式を満足すること、を特徴とする光制御シート（１４）である。
請求項５の発明は、請求項１から請求項４までのいずれか１項に記載の光制御シートにおいて、前記出射側レンズ部（１４１）は、長軸がシート面に対して直交する楕円筒の一部、又は、長軸がシート面に対して直交する回転楕円体の一部により形成されていること、を特徴とする光制御シート（１４）である。
請求項６の発明は、請求項１から請求項５までのいずれか１項に記載の光制御シートにおいて、前記出射側レンズ部（１４１）の長半径は、短半径の１．０倍以上３．０倍以下であること、を特徴とする光制御シート（１４）である。
請求項７の発明は、請求項１から請求項６までのいずれか１項に記載の光制御シートにおいて、前記突出部（１４２）の突出量をＨとしたとき、０．５×Ｗ≦Ｈ≦１．５×Ｗの関係式を満足すること、を特徴とする光制御シート（１４）である。
請求項８の発明は、請求項１から請求項７までのいずれか１項に記載の光制御シートにおいて、前記突出部（１４２）の先端部分には、入射側に凸の曲面（Ｌ１）が形成されていること、を特徴とする光制御シートである。
請求項９の発明は、請求項１から請求項８までのいずれか１項に記載の光制御シートにおいて、前記突出部（１４２）が形成されていない非突出部（１４３）には、入射側に凸の曲面（Ｌ２）が形成されていること、を特徴とする光制御シートである。
請求項１０の発明は、請求項１から請求項９までのいずれか１項に記載の光制御シートにおいて、ベース層（１４４）を有し、少なくとも前記出射側レンズ部（１４１）及び前記突出部（１４２）は、紫外線硬化樹脂及び電離放射線硬化樹脂を含む光硬化樹脂により前記ベース層上に形成されていること、を特徴とする光制御シート（１４）である。
請求項１１の発明は、請求項１０に記載の光制御シートにおいて、前記ベース層（１４４）の厚さは、前記出射側レンズ部（１４１）の突出量以下であること、を特徴とする光制御シート（１４）である。
請求項１２の発明は、透過型表示部（１１）を背面から照明する面光源装置であって、複数の光源（１３）が並べて配置された光源部（１２，１３）と、請求項１から請求項１１までのいずれか１項に記載の光制御シート（１４）と、を備える面光源装置である。
請求項１３の発明は、請求項１２に記載の面光源装置において、前記光制御シート（１４）は、使用状態における前記透過型表示部（１１）の画面の上下方向の光を主に制御すること、を特徴とする面光源装置である。
請求項１４の発明は、請求項１２又は請求項１３に記載の面光源装置において、光拡散作用を有した拡散シート（１６）を少なくとも１枚有していること、を特徴とする面光源装置である。
請求項１５の発明は、請求項１２から請求項１４までのいずれか１項に記載の面光源装置において、前記光制御シート（１４）が光を主に制御する方向と直交する方向で光を主に制御する第２の光制御シート（１７）を有すること、を特徴とする面光源装置である。
請求項１６の発明は、請求項１２から請求項１５までのいずれか１項に記載の面光源装置において、面光源装置に含まれるシートの中の少なくとも１つには、光拡散効果を付与する粒子が添加されていること、を特徴とする面光源装置である。
【発明の効果】
【０００６】
本発明によれば、以下の効果を奏することができる。
（１）シート面に垂直な方向から見たときに占める面積比率で１０％以上６０％以下を占め、入射側へ突出した突出部を備えるので、斜めからの入射光（大きな入射角度で入射する入射光）を効率的に偏向できる。
【０００７】
（２）突出部は、出射側レンズ部に近い部分の幅よりもその先端部分に近い部分の幅が狭いので、斜面部が形成され、この斜面部による屈折及び全反射作用によって、不要な方向へ進む光を必要な範囲へ集光できる。
【０００８】
（３）斜面部に接する接面とシート面の法線とのなす角度は、１０°以上３０°以下の範囲内であるので、垂直に近い入射角度で入射する光を斜め方向（大きな出射角度）で出射させることなく、斜めからの入射光（大きな入射角度で入射する入射光）を効率的に偏向できる。
【０００９】
（４）０．４Ｗ／Ｄ≦ｔａｎ（ｓｉｎ−１（１／ｎ））≦０．８Ｗ／Ｄの関係式を満足するので、斜めからの入射光（大きな入射角度で入射する入射光）が、入射位置と重なる位置の隣にある出射側レンズ（単位レンズ）から斜め方向（大きな出射角度方向）へ出射することを防止できる。
【００１０】
（５）出射側レンズ部は、長軸がシート面に対して直交する楕円筒の一部、又は、長軸がシート面に対して直交する回転楕円体の一部により形成されているので、光の収束効果を高めることができる。
【００１１】
（６）出射側レンズ部の長半径は、短半径の１．０倍以上３．０倍以下であるので、光の利用効率を下げることなく、均一な照明を行うために最適な拡散シートとすることができる。
【００１２】
（７）０．５×Ｗ≦Ｈ≦１．５×Ｗの関係式を満足するので、入射光が、入射位置と重なる位置の隣にある出射側レンズ（単位レンズ）から斜め方向（大きな出射角度方向）へ出射することを低減できる。
【００１３】
（８）突出部の先端部分には、入射側に凸の曲面が形成されているので、出射側レンズ部により全反射した光を入射側から出射させることができ、そのような光を有効に再利用できる。
【００１４】
（９）突出部が形成されていない非突出部には、入射側に凸の曲面が形成されているので、入射光が、入射位置と重なる位置の隣にある出射側レンズ（単位レンズ）から斜め方向（大きな出射角度方向）へ出射することを低減できる。
【００１５】
（１０）少なくとも出射側レンズ部及び突出部は、紫外線硬化樹脂及び電離放射線硬化樹脂を含む光硬化樹脂を用いてベース層上に形成されているので、製造を容易に行える。
【００１６】
（１１）ベース層の厚さは、出射側レンズ部の突出量以下であるので、入射位置と重なる位置の隣にある出射側レンズ（単位レンズ）へ到達する光を低減できる。
【００１７】
（１２）光制御シートは、使用状態における透過型表示部の画面の上下方向の光を主に制御するので、垂直方向に広がる光を集めて正面輝度を高めることができる。なお、一般的な表示装置では、垂直視野角よりも水平視野角が広いことが望まれるので、そのような多くの表示装置に好適に用いることができる。
【００１８】
（１３）光拡散作用を有した拡散シートを少なくとも１枚有しているので、輝度ムラを低減することができる。
【００１９】
（１４）光制御シートが光を主に制御する方向と直交する方向で光を主に制御する第２の光制御シートを有するので、垂直方向及び水平方向のいずれの方向についても、光の出射範囲を制御することができる。
【００２０】
（１５）面光源装置に含まれるシートの中の少なくとも１つには、光拡散効果を付与する粒子が添加されているので、輝度ムラを低減することができる。
【発明を実施するための最良の形態】
【００２１】
照明光を必要な範囲内に効率よく集光し、さらに、生産性をよくするという目的を、シート面に垂直な方向から見たときに占める面積比率で１０％以上６０％以下を占め、入射側へ突出した突出部を備えることにより遮光部等を設けることなく実現した。
【実施例】
【００２２】
図１は、本発明による面光源装置を含む透過型表示装置の実施例を示す図である。
なお、図１を含め、以下に示す各図は、模式的に示した図であり、各部の大きさ、形状は、理解を容易にするために、適宜誇張して示している。
本実施例における透過型表示装置１０は、ＬＣＤ（Liquid Crystal Display）パネル１１，反射板１２，発光管１３，光制御シート１４，乳白板１６，第２の光制御シート１７等を備え、ＬＣＤパネル１１に形成される映像情報を背面から照明して表示する装置である。なお、ＬＣＤパネル１１を背面から照明する面光源装置としては、反射板１２，発光管１３，光制御シート１４，乳白板１６，第２の光制御シート１７が該当している。
【００２３】
ＬＣＤパネル１１は、透過型の液晶表示素子により形成されており、３０インチサイズ、８００×６００ドットの表示を行うことができる透過型表示部である。ＬＣＤパネル１１は、発光管１３の長手方向に沿った方向が、水平方向として使用され、発光管１３が並ぶ方向が、垂直方向として使用される。
発光管１３は、バックライトの光源部を形成する線光源の冷陰極管であり、本実施例では、略７５ｍｍ間隔で等間隔に６本が並列に並べられている。発光管１３の背面には、反射板１２が設けられている。
反射板１２は、発光管１３の光制御シート１４とは反対側（背面側）の全面にわたって設けられており、背面側へ進む照明光を拡散反射して光制御シート１４方向（出射方向）へ向かわせ、入射光照度を均一に近付ける働きを持つ。
乳白板１６は、無指向性の光拡散特性を有した拡散シートであり、光制御シート１４の光源側に配置されている。
【００２４】
第２の光制御シート１７は、光制御シート１４とＬＣＤパネル１１との間に配置され、出射側に単位レンズが多数並べて配置されたレンチキュラーレンズシートである。第２の光制御シート１７の単位レンズは、水平方向に並べられており、光を制御する主な方向は、水平方向である。したがって、第２の光制御シート１７は、後述の光制御シート１４が光を制御する主な方向（垂直方向）と直交する方向である水平方向で、光の制御を行っている。
【００２５】
図２は、光制御シート１４を示す斜視図である。
光制御シート１４は、発光管１３から出射した光の輝度ムラを低減させて均一化するとともに必要な出射角度範囲内に出射光を集光するレンズシートであり、出射側に光を収束して出射する単位レンズ（出射側レンズ部）１４１が形成されている。単位レンズ１４１は、連続する楕円筒の一部の形状となっており、光制御シート１４の出射側表面は、この単位レンズ１４１が平行に多数並べて配置されている。単位レンズ１４１の並ぶ方向は、発光管１３の並ぶ方向と一致している（図１参照）。
また、光制御シート１４の入射側には、突出部１４２が形成されている。
【００２６】
図３は、光制御シート１４を図２中に矢印で示したＳ１−Ｓ２断面で切断した断面図である。なお、図３は、図中の上方が出射側となっている。
光制御シート１４は、ベース層１４４の出射側に単位レンズ１４１が形成され、ベース層１４４の入射側に突出部１４２が形成されている。
ベース層１４４は、屈折率１．５、厚さ３０μｍのアクリル製の透明フィルムである。
単位レンズ１４１は、長半径＝３００μｍ、短半径＝１００μｍの楕円筒の一部形状により形成された出射側レンズ部であり、ピッチ１００μｍで並べられており、その長軸が光制御シート１４のシート面に対して直交している。また、単位レンズ１４１の突出量（単位レンズ１４１の谷部分から単位レンズ１４１の頂点までの高さ）＝約８０μｍとなっている。
光制御シート１４の入射側には、突出部１４２，非突出部１４３が設けられている。
【００２７】
突出部１４２は、幅が最も広い部分の寸法Ｗ＝５０μｍであり、非突出部１４３からの突出量Ｈ＝４０μｍ、斜面１４２ａがシート面の法線となす角度θ＝２０°となるように設けられている。この突出部１４２は、その中心がシート面に対する法線方向から見たときに単位レンズ１４１の谷部分と重なる位置に配置されている。光制御シート１４に小さな入射角度で入射する光線は、突出部１４２に当たることが少なく、図３中に破線で示した光線ＲＣ，ＲＤ，ＲＥ，ＲＦのように大きな入射角度で入射する光線は、突出部１４２に当たる確率が高い。この傾向は、突出部１４２の高さが高くなるほど顕著になる。また、図３中に実線で示した光線ＲＡ，ＲＢのように大きな入射角度で光制御シート１４に入射する光であっても、突出部１４２に当たらない光は、単位レンズ１４１の作用によって、小さな出射角度で出射する。
非突出部１４３は、突出部１４２に挟まれた部分に形成されたシート面に平行な平面であり、本実施例では、ベース層１４４が露出した形態となっている。
また、単位レンズ１４１の最も出射側への突出量の少ない谷部分と非突出部１４３との間隔Ｄ＝３０μｍとなっている。
【００２８】
ここで、光制御シート１４は、以下の各条件を満足することが望ましい。
（条件１）突出部１４２は、シート面に垂直な方向から見たときに占める面積比率で１０％以上６０％以下を占めることが望ましい。この条件を満たすことにより、斜めからの入射光（大きな入射角度で入射する入射光）を効率的に偏向できる。
本実施例の光制御シート１４では、単位レンズ１４１の並ぶピッチ＝１００μｍ、Ｗ＝５０μｍであるから、突出部１４２がシート面に垂直な方向から見たときに占める面積比率は、５０％であり、この条件１を満たしている。
【００２９】
（条件２）斜面部１４２ａに接する接面とシート面の法線とのなす角度θは、１０°以上３０°以下の範囲内であることが望ましい。この条件を満たすことにより、垂直に近い入射角度で入射する光を斜め方向（大きな出射角度）で出射させることなく、斜めからの入射光（大きな入射角度で入射する入射光）を効率的に偏向できる。
本実施例の光制御シート１４では、θ＝２０°であり、この条件２を満足している。
【００３０】
（条件３）光制御シート１４は、０．４Ｗ／Ｄ≦ｔａｎ（ｓｉｎ-1（１／ｎ））≦０．８Ｗ／Ｄの関係式を満足することが望ましい。この条件を満たすことにより、斜めからの入射光（大きな入射角度で入射する入射光）が、入射位置と重なる位置の隣にある出射側レンズ（単位レンズ）から斜め方向（大きな出射角度方向）へ出射することを防止できる。
本実施例の光制御シート１４では、Ｗ＝５０μｍ、Ｄ＝３０μｍ、ｎ＝１．５であるから、これを上記式に代入すると、以下のようにこの条件３を満足している。
０．４×０．０５／０．０３≦ｔａｎ（ｓｉｎ-1（１／１．５））≦０．８×０．０５／０．０３
０．６６７≦０．８９≦１．３３
【００３１】
（条件４）光制御シート１４の出射側レンズ部の長半径は、短半径の１．０倍以上３．０倍以下であることが望ましい。この条件を満たすことにより、光の利用効率を下げることなく、均一な照明を行うために最適な拡散シートとすることができる。
本実施例では、単位レンズ１４１は、長半径＝３００μｍ、短半径Ｂ１＝１００μｍであり、この条件３を満足している。
【００３２】
（条件５）光制御シート１４は、０．５×Ｗ≦Ｈ≦１．５×Ｗの関係式を満足することが望ましい。この条件を満たすことにより、入射光が、入射位置と重なる位置の隣にある出射側レンズ（単位レンズ）から斜め方向（大きな出射角度方向）へ出射することを低減できる。
本実施例の光制御シート１４では、Ｗ＝５０μｍ、Ｈ＝４０μｍであるから、これを上記式に代入すると、以下のようにこの条件５を満足している。
０．５×０．０５≦０．０４≦１．５×０．０５
０．０２５≦０．０４≦０．０７５
【００３３】
（条件６）光制御シート１４のベース層１４４の厚さは、単位レンズ１４１の突出量以下であることが望ましい。この条件を満たすことにより、入射位置と重なる位置の隣にある出射側レンズ（単位レンズ）へ到達する光を低減できる。
本実施例の光制御シート１４では、ベース層１４４の厚さ＝３０μｍ、単位レンズ１４１の突出量＝略６０μｍであり、この条件６を満足している。
【００３４】
本実施例の光制御シート１４は、屈折率の平均ｎ＝１．５の透明なベース層１４４の一方の面に紫外線硬化樹脂により単位レンズ１４１を形成し、もう一方の面に同様な紫外線硬化樹脂により突出部１４２を形成することにより作製される。なお、光制御シート１４は、紫外線硬化樹脂に限らず、電離放射線硬化樹脂等の他の光硬化樹脂を用いて作製してもよいし、ベース層を用いずに光透過性の有る熱可塑性樹脂により一体成型してもよい。
【００３５】
ここで、本実施例の効果を確認するため、比較例として光制御シート１４の入射側に突出部１４２を形成していないものを用意した。なお、この比較例は、突出部１４２が無いほかは、光制御シート１４と同様な形態をしている。
図４は、比較例と本実施例の光制御シート１４との出射特性を比較する図である。
図４に示したグラフは、比較例及び本実施例の光制御シート１４それぞれについて、入射角度０°、４０°、８０°で入射する光の出射角度分布を調べたものである。入射角度０°で入射する光については、比較例と本実施例の光制御シート１４との間に大きな差は現れなかった。これに対して、入射角度４０°、８０°の場合には、本実施例の光制御シート１４の出射角度が比較例の出射角度よりも全体に小さな出射角度で出射している。このように、突出部１４２を設けることにより大きな角度で出射する光を無くし、より小さな出射角度で出射させることができる。
【００３６】
本実施例によれば、入射側に突出部１４２を設けたので、遮光部等を追加することなく、照明光を必要な範囲内に効率よく集光できる。
【００３７】
（変形例）
以上説明した実施例に限定されることなく、種々の変形や変更が可能であって、それらも本発明の均等の範囲内である。
（１）本実施例において、線光源を並列に並べた面光源装置を例に挙げて説明したが、これに限らず、例えば、点光源を用いる面光源装置であってもよい。
【００３８】
（２）本実施例において、光制御シート１４の出射側は、同一断面形状が一方向に延在する単位レンズを多数並べたレンチキュラーレンズシートである例を示したが、これに限らず、例えば、単位レンズを２次元方向に配列したレンズアレイ（いわゆる蝿の目レンズ）シートを光制御シートとしてもよい。なお、この場合にも、シートの法線方向から見たときに単位レンズの谷部分と重なる位置の入射側に突出部を設けるとよい。
【００３９】
（３）本実施例において、光制御シート１４は、１種類の単位レンズが出射側に並べられている例を示したが、これに限らず、例えば、複数種類の単位レンズを組み合わせて出射側に配置してもよい。
【００４０】
（４）本実施例において、面光源装置に使用される各種光学シートの中の少なくともひとつに、光拡散作用を付与する光拡散粒子を添加して拡散特性を調節してもよい。
【００４１】
（５）本実施例において、光制御シート１４の入射側には、突出部１４２が設けられているだけである例を示したが、これに限らず、例えば、入射側にもレンズ形状を形成してもよい。
図５は、光制御シートの入射側にレンズ形状を形成した例を示す図である。図５（ａ）に示す例は、突出部の先端部分に入射側に凸のレンズ形状Ｌ１を形成した例である。図５（ｂ）に示す例は、非突出部に入射側に凸のレンズ形状を形成した例である。この図５（ａ），図５（ｂ）のように入射側に追加するレンズは、出射側に設けられた単位レンズの集光作用を補助することが主な作用である。また、この作用に加えて、入射側にレンズ形状がない平坦な場合に、隣の出射側の単位レンズから斜めに出射する成分を、隣の単位レンズに到達させないように補正する作用と、隣の単位レンズに到達したとしてもレンズ面で全反射させて光源側へ戻して隣の単位レンズから出射しないようにする作用とを有している。
また、図５（ａ）及び図５（ｂ）を組み合わせて突出部の先端部分及び非突出部の双方にレンズ形状を形成してもよい。
【図面の簡単な説明】
【００４２】
【図１】本発明による面光源装置を含む透過型表示装置の実施例を示す図である。
【図２】光制御シート１４を示す斜視図である。
【図３】光制御シート１４を図２中に矢印で示したＳ１−Ｓ２断面で切断した断面図である。
【図４】比較例と本実施例の光制御シート１４との出射特性を比較する図である。
【図５】光制御シートの入射側にレンズ形状を形成した例を示す図である。
【符号の説明】
【００４３】
１０  透過型表示装置
１１  ＬＣＤパネル
１２  反射板
１３  発光管
１４  光制御シート
１４１  単位レンズ
１４２  突出部
１４３  非突出部
１４４  ベース層
１６  乳白板
１７  第２の光制御シート
【図１】
2007173031.tif 000003
【図２】
2007173031.tif 000004
【図３】
2007173031.tif 000005
【図４】
2007173031.tif 000006
【図５】
2007173031.tif 000007